(57)【要約】【課題】  顧客が興味を示した商品や商品サンプルに関する詳細な情報を、自動的に映像として顧客に提供できるようにした商品情報表示システムを提供する。【解決手段】  固有情報が記憶された非接触ＩＣタグを備えた商品もしくは商品サンプルと、タグリーダーと、処理装置と、モニター装置とからなり、処理装置は、固有情報が記憶されている固有情報データベースと、前記固有情報と関係付けられた映像情報が登録されている映像情報データベースと、タグリーダーによる固有情報の読み取りが不能となった固有情報を特定する固有情報特定手段と、映像情報データベースに登録された映像情報の中から、前記固有情報特定手段で特定された固有情報と関係付けられている映像情報を前記モニター装置に送信する手段とを有し、前記モニター装置は、前記処理装置から前記映像情報を受信した際に、モニター画面にその受信した映像情報を映す出す手段を有する。【選択図】        図1
2006201822.tif 000002
【特許請求の範囲】
【請求項１】
固有情報が記憶された非接触ＩＣタグを備えた商品もしくは商品サンプルと、
所定距離内にある前記非接触ＩＣタグから前記固有情報を非接触で読み取ることができるタグリーダーと、
前記タグリーダーと通信可能に接続された処理装置と、
前記処理装置と通信可能に接続され、前記処理装置から受信した映像情報を画面に映すモニター装置とからなり、
前記処理装置は、前記タグリーダーで読み取り可能な固有情報が記憶されている固有情報データベースと、前記固有情報と関係付けられた映像情報が登録されている映像情報データベースと、前記タグリーダーによる固有情報の読み取りが不能となった固有情報を特定する固有情報特定手段と、前記映像情報データベースに登録された映像情報の中から、前記固有情報特定手段で特定された固有情報と関係付けられている映像情報を前記モニター装置に送信する手段とを有し、
前記モニター装置は、前記処理装置から前記映像情報を受信した際に、モニター画面にその受信した映像情報を映す出す手段を有することを特徴とする商品情報表示システム。
【請求項２】
前記映像情報が、仮想店員により商品の紹介または説明を行なっている場面を表示する動画情報であることを特徴とする請求項１記載の商品情報表示システム。
【発明の詳細な説明】
【技術分野】
【０００１】
本発明は、店に店員がいなくても、顧客に対し陳列された商品や商品サンプルに関する情報を自動的にモニター装置に表示させて提供することができるようにした商品情報表示システムに関する。
【背景技術】
【０００２】
従来、例えば化粧品などの商品は、来店した顧客に対して美容部員などの店員が商品説明を行なったり、商品サンプルによる試用を勧めるなどして販売促進を行なっている。
しかしながら、顧客の中には、様々なタイプの人がいて、美容部員が接客して試供品を用いたメイクアップを受けたり、店員による商品説明を受けることを好むタイプの顧客もいるし、逆に店員による接客に煩わされることなく、自分のペースで自由に商品を選ぶことを好むタイプの顧客もいる。
したがって、前者のタイプの顧客には、従来の美容部員による接客方法が好ましいものの、後者のタイプの顧客に対しては、従来のような美容部員による接客や、店員が声をかけて商品説明を行なうといった方法が販売促進方法として好ましくない場合もあり、せっかく店頭に陳列されている商品に興味を持って来店した顧客を逃してしまうことにもなりかねない。
【０００３】
このようなことからも、種々の商品を陳列する陳列什器の一部にテレビなどのモニター装置を設けて、顧客が商品のテストサンプルを試用する際に、その商品に関する詳細な情報をモニター装置に映像情報として表示させることで、店員による接客を行なうことなく、商品情報を顧客に提供するという技術が既に公知となっている。（例えば、特許文献１、参照）
【特許文献１】特開平１１−７６０１６号公報
【０００４】
しかしながら、従来公知の技術では、特定の商品に限定したテストサンプルの情報だけが顧客に提供されるものであり、その場に陳列されている全ての商品についての情報を顧客に提供することができずに、来店した顧客の様々なニーズに対する適切な商品情報を提供することができないという問題がある。
【発明の開示】
【発明が解決しようとする課題】
【０００５】
本発明は、上記の問題点を解決するために、店舗などに陳列されている全ての商品や商品サンプルの中から、顧客が興味を示した商品や商品サンプルに関する詳細な情報を、自動的に映像として顧客に提供することができるようにして、店員による接客を行なわないでも顧客への適切な応対をできるようにした商品情報表示システムを提供する。
【課題を解決するための手段】
【０００６】
本発明の商品情報表示システムは、固有情報が記憶された非接触ＩＣタグを備えた商品もしくは商品サンプルと、所定距離内にある前記非接触ＩＣタグから前記固有情報を非接触で読み取ることができるタグリーダーと、前記タグリーダーと通信可能に接続された処理装置と、前記処理装置と通信可能に接続され、前記処理装置から受信した映像情報を画面に映すモニター装置とからなり、前記処理装置は、前記タグリーダーで読み取り可能な固有情報が記憶されている固有情報データベースと、前記固有情報と関係付けられた映像情報が登録されている映像情報データベースと、前記タグリーダーによる固有情報の読み取りが不能となった固有情報を特定する固有情報特定手段と、前記映像情報データベースに登録された映像情報の中から、前記固有情報特定手段で特定された固有情報と関係付けられている映像情報を前記モニター装置に送信する手段とを有し、前記モニター装置は、前記処理装置から前記映像情報を受信した際に、モニター画面にその受信した映像情報を映す出す手段を有することを特徴とする。
【０００７】
また、本発明の商品情報表示システムは、前記映像情報が、仮想店員により商品の紹介または説明を行なっている場面を表示する動画情報であることを特徴とする。
【発明の効果】
【０００８】
本発明の商品情報表示システムは、商品もしくは商品サンプルに非接触ＩＣタグが備えられ、それらの商品もしくは商品サンプルを顧客が手に取ることで、モニター装置にその商品もしくは商品サンプルに関する説明や広告などの映像情報を自動的に映し出すことができるので、店舗などに陳列されている全ての商品や商品サンプルの中から、顧客が興味を示した商品や商品サンプルに関する詳細な情報を映像として顧客に提供することができ、店員が接客しなくても顧客への適切な応対を行なうことができるので、顧客も、店員による接客に煩わされることなく、自分のペースで自由に商品を選ぶことができるという効果がある。
【０００９】
本発明の商品情報表示システムは、映像情報が、仮想店員により商品の紹介または説明を行なっている場面を表示する動画情報なので、顧客に対してあたかも店員から説明を受けているかのように感じさせることができ好印象を与えられるという効果がある。
【発明を実施するための最良の形態】
【００１０】
以下、本発明の実施の形態を図面に基づいて詳細に説明する。
図１は、本発明の実施形態に係る商品情報表示システムに用いる商品陳列棚の外観を示す斜視図、図２は、図１のＡ−Ａ線断面図、図３は、非接触ＩＣタグの例を示す平面図、図４は、商品に非接触ＩＣタグを添付した状態を示す断面図、図５は、本発明の実施形態に係る商品情報表示システムに用いる商品陳列棚において、ＩＣタグリーダが商品陳列部の底面側に設けられている状態を示す断面図、図６は、本発明の実施形態に係る商品情報表示システムに用いる商品陳列棚において、ＩＣタグリーダが商品陳列部の底面の下側に設けられている状態を示す断面図、図７は、本発明の実施形態に係る商品情報表示システムに用いる商品陳列棚において、ＩＣタグリーダが商品陳列部の背面側に設けられている状態を示す断面図、図８は、本発明の実施形態に係る商品情報表示システムのシステムブロック図、図９は、非接触ＩＣタグに記憶されている固有情報を示す図、図１０は、映像情報データベースに登録されている固有情報と映像情報の関係を示す図、図１１及び図１２は、モニター装置に表示される映像情報を示す図、図１３は、本発明の実施形態に係る商品情報表示システムの処理手順を示すフローチャートである。
【００１１】
本発明の実施形態に係る商品情報表示システムに用いる商品陳列棚１は、図１及び図２に示すように、商品２である複数種類の化粧品をそれぞれ陳列する商品陳列部４と、それぞれの化粧品サンプルである商品サンプル５を展示するサンプル展示部６とを有する棚９と、棚９の所定位置にそれぞれ設けられているＩＣタグリーダ８と、情報表示手段である液晶表示パネルを有するモニター装置７とを有している。
このモニター装置７は、液晶表示パネルで表示する情報をコントロールする処理装置１０と接続され、また、この処理装置１０は、ＩＣタグリーダ８と接続されてＩＣタグリーダ８から受信した信号に基づいてモニター装置７で表示する情報を選択して、特定した映像情報を映し出すように指示する。
【００１２】
商品陳列棚１には、縦方向に複数段からなる棚９が備えられ、その各棚９には、陳列する商品の種類に応じて棚９を仕切るための仕切り部が所望の位置にそれぞれ設けられ、陳列棚本体の側板（側面を形成）と棚９と仕切り部の組み合わせることにより複数の商品を収納する収納空間が複数箇所形成されている。
【００１３】
尚、仕切り部は、必要に応じて設ければよく、仕切り部を設けないで、商品２や商品サンプル５を陳列するようにしてもよい。
この棚９には、手前側に商品サンプル５を展示するサンプル展示部６が設けられ、またその後方側に、その商品サンプル５の商品２を陳列する商品陳列部４が設けられている。
更に、棚９の商品陳列部４の底面側には、ＩＣタグリーダ８が取り外し可能に設置されている。
【００１４】
また、商品２と商品サンプル５には、それぞれ固有情報が記憶されている非接触ＩＣタグ３が添付され、ＩＣタグリーダ８により非接触ＩＣタグ３に記憶されている固有情報が非接触で読み取れるようにしてある。
商品２と商品サンプル５に添付されている非接触ＩＣタグ３は、例えば、非接触データキャリアやＲＦＩＤともいわれ、図３に示すように、プラスチック等の基材３１にコイルパターン３３が形成され、当該コイルと容量素子とにより共振回路を形成して一定周波数の電波を受信し送信することができるように構成されている。
【００１５】
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）の周波数帯が使用される。
図示した例の場合、コイルパターン３３は、導通部材３４により基材３１の裏面でジャンピング回路を形成してコイル接続端子３３ＣによりＩＣチップ３２の裏面のバンプに接続している。
【００１６】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
その大きさも３０ｍｍ×３０ｍｍ程度以下のサイズとすることができる。
【００１７】
非接触ＩＣタグ３に使用する樹脂基材３１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１８】
これらの非接触ＩＣタグ３に記録した情報の読み取りは、ＩＣタグリーダ８から非接触ＩＣタグ３に対して共振する呼び出し信号を発信し、数ｃｍから数十ｃｍの距離で非接触ＩＣタグからの応答信号を読み、且つ非接触ＩＣタグ３のＩＣチップ３２のメモリに記録することができる。
非接触ＩＣタグ３のＩＣチップ３２のメモリには、それぞれの非接触ＩＣタグ毎に異なる固有情報が記憶され、この固有情報に基いて商品サンプルの情報管理が行なえるようにしてある。
これにより、非接触ＩＣタグ３のメモリに記憶されている固有情報をＩＣタグリーダ８で読み取ることができるようにしてある。
【００１９】
ここでは、商品２や商品サンプル５が棚９に置かれている時には、ＩＣタグリーダ８と非接触ＩＣタグ３との間における交信が可能であり、非接触ＩＣタグ３のメモリに記憶されている固有情報を受信できる状態としておき、商品２や商品サンプル５が買物客によって試用されるなどのために手に持たれることで、商品２や商品サンプル５に添付されている非接触ＩＣタグ３が、ＩＣタグリーダ８から離れ、ＩＣタグリーダ８が非接触ＩＣタグ３と交信ができない状態となり、この交信不通となったことを検知して、各商品２や商品サンプル５の動きに関する情報を収集できるようにしてある。
【００２０】
また、非接触ＩＣタグ３を商品に添付する場合には、例えば図６に示すように、商品２又は商品サンプル５の所望の位置に、コイルパターン３３が形成された面を下側として載置され、その上側から非接触ＩＣタグ３よりも大きな面積を有するラベル紙３５で被覆して、ラベル紙３５の裏面に塗布された粘着剤２５により非接触ＩＣタグ３を挟み込んだ状態で、非接触ＩＣタグ３を商品２の包装材の表面上や商品サンプル５の所定部分などに貼付することで添付される。
尚、コイルパターン３３が形成された面を上側として載置してもよい。
【００２１】
尚、棚９は、商品に応じて異なる種々の形状や構造を有したものが使用されている。
図５乃至図７には、実施例として３種類の棚９ａ，９ｂ，９ｃが示されている。
図５に示した棚９ａは、化粧品のリップ用のものであり、買物客が試用するためのリップの商品サンプル５ａを置くためのサンプル展示部６ａと、リップの商品２ａを置くための商品陳列部４ａが設けられ、商品サンプル５ａには、リップの商品サンプル５ａを買物客が抜き取ったり、元に戻したりしやすいように、傾斜状に形成されている。
【００２２】
また、商品サンプル５ａには、非接触ＩＣタグ３ａが添付されていて、また、棚９ａの底面上には、ＩＣタグリーダ８ａが設けられている。
ＩＣタグリーダ８ａは、商品サンプル５ａがサンプル展示部６ａに置かれている状態にある時には、ＩＣタグリーダ８ａと、商品サンプル５ａに添付されている非接触ＩＣタグ３ａとが交信可能な位置に設けられている。
【００２３】
次に、図６に示した棚部９ｂは、化粧品のリップフィニティ用のものであり、買物客が試用するためのリップフィニティの商品サンプル５ｂを置くためのサンプル展示部６ｂと、リップの商品２ｂを置くための商品陳列部４ｂが設けられている。
【００２４】
また、商品サンプル５ｂには、非接触ＩＣタグ３ｂが添付されていて、また、棚９ｂの下側には、ＩＣタグリーダ８ｂが設けられている。
ＩＣタグリーダ８ｂは、商品サンプル５ｂがサンプル展示部６ｂに置かれている状態にある時には、ＩＣタグリーダ８ｂと、商品サンプル５ｂに添付されている非接触ＩＣタグ３ｂとが交信可能な位置に設けられている。
【００２５】
次に、図７（ａ）に示した棚９ｃは、化粧品のマスカラ用のものであり、買物客が試用するためのマスカラの商品サンプル５ｃを置くためのサンプル展示部６ｃと、マスカラの商品２ｃを置くための商品陳列部４ｃが設けられている。
【００２６】
また、商品サンプル５ｃには、非接触ＩＣタグ３ｃが添付されていて、また、棚９ｃの背面側には、ＩＣタグリーダ８ｃが設けられている。
ＩＣタグリーダ８ｃは、商品サンプル５ｃがサンプル展示部６ｃに置かれている状態にある時には、ＩＣタグリーダ８ｃと、商品サンプル５ｃに添付されている非接触ＩＣタグ３ｃとが交信可能な位置に設けられている。
【００２７】
図７（ｂ）には、マスカラの商品サンプル５ｃが、買物客によって試用などがされる場合に、買物客の手に持たれてサンプル展示部６ｃから移動した状態を示した図であるが、買物客が商品サンプル５ｃを手に持つことで、棚９ｃの背面側に設けられているＩＣタグリーダ８ｃから遠ざかることで、ＩＣタグリーダ８ｃと商品サンプル５ｃに添付されている非接触ＩＣタグ３ｃとの交信が途絶えることで、今まで読み取り可能な状態であった非接触ＩＣタグ３ｃに記憶されていた固有情報の読み取りができなくなることで、商品サンプル５ｃの動きを検知することができるように構成されている。
【００２８】
また、上記の商品は、全て試用のための商品サンプルが用意されている場合であるが、商品サンプルを展示しない商品については、商品や商品の包装の所定部分に非接触ＩＣタグ３が添付されており、顧客が商品自体を手に取った場合でも、その非接触ＩＣタグ３に記憶されていた固有情報の読み取りができなくなることで、固有情報を特定できるように構成されている。
したがって、商品陳列棚１に陳列されている商品であっても、商品サンプルであっても、それらを顧客が手に取った際に、それらに添付されている非接触ＩＣタグ３に記憶されている固有情報を特定できるように構成されている。
【００２９】
次に、本発明の実施形態に係る商品情報表示システムのシステム構成を、図８のシステムブロック図に基いて説明する。
まず、商品陳列棚１の棚９に備えられている各々のＩＣタグリーダ８には、送受信手段１１、記憶手段１２、通信手段１３、制御手段１４が備えられている。
そして、通信手段１３は、通信網１４により処理装置１０と通信可能に接続され、送受信手段１１により非接触ＩＣタグ３に記憶された固有情報が読み取られているか否かの情報を送信できるように構成されている。
商品陳列棚１の棚９に商品２や商品サンプル５が置かれている状態にある場合には、各々の商品２や商品サンプル５毎に備えられたＩＣタグリーダ８から送信され信号を非接触ＩＣタグ３が受信して、非接触ＩＣタグ３からの応答信号をＩＣタグリーダ８が読み取れるように各ＩＣタグリーダ８と各々の商品２や商品サンプル５との位置関係が定められている。
【００３０】
したがって、商品２や商品サンプル５を顧客が手に取ることで、ＩＣタグリーダ８から遠ざかり、ＩＣタグリーダ８が非接触ＩＣタグ３からの応答信号である固有情報が読み取れない状態となる。
この固有情報が読み取れない状態となった固有情報で特定される商品２や商品サンプル５が、顧客の手に取られた商品２や商品サンプル５であると特定することができるようにしてある。
【００３１】
また、ＩＣタグリーダ８と通信網１５で通信可能に接続された処理装置１０には、通信手段１５、記憶手段１６、固有情報特定手段１７、映像情報送信手段１８、制御手段１９、固有情報データベース２０、映像情報データベース２１などが備えられている。
図９に示すように、固有情報データベース２０には、商品２や商品サンプル５に添付されている非接触ＩＣタグ３に記憶されている固有情報のリストと、各固有情報が、各々のＩＣタグリーダ８によって読み取り可能な状態にあるか否かの情報とが記憶されている。
例えば、固有情報が「００００３」のように、ＩＣタグリーダ８により読み取り不可の状態にある場合には、商品２や商品サンプル５が商品陳列棚１の棚９から顧客によって取られていることになる。
【００３２】
また、図１０に示すように、映像情報データベース２１には、各固有情報と各々の映像情報とが関係付けられて登録されている。
ここで、映像情報とは、映像だけの情報でもよいし、また、映像に音声を付けた情報であってもよい。
映像情報データベース２１に登録されている各々の映像情報は、例えば、固有情報「００００１」が記憶されている非接触ＩＣタグ３を「口紅」に添付させた場合には、予め固有情報「００００１」に関係付けて、この「口紅」を詳細に説明するなどの商品情報の映像を登録させておく。
【００３３】
これらの商品情報の映像としては、特に限定されるものではなく、様々な内容の映像を用意すればよいが、例えば、図１１に示すように、店員をイメージした仮想店員２６により、特定された商品に関する詳細な説明を映像と音声により行なえるようにしてある。
これにより、無店舗販売であっても顧客に対して人間味のある販売促進を行なえるので好ましい。
【００３４】
また、図１２に示すように、画面を複数に区画して、仮想店員２６の映像と音声と共に、その商品の残数、価格、商品の特徴や使用法、商品コピー、商品ＣＭ、といった様々な映像を併用して販売促進できるようにすることもできる。
【００３５】
また、固有情報特定手段１７は、タグリーダー８から受信した固有情報の読み取り不可を示す信号に基づいて、読み取りできなくなった固有情報を特定する機能を有している。
更に、映像情報送信手段１８は、固有情報特定手段１７で特定された固有情報と関係付けられて映像情報データベース２１に登録されている映像情報を処理装置１０からモニター装置７に送信させる機能を有している。
【００３６】
次に、モニター装置７には、通信手段２２、情報表示手段２３、音声発生手段２４、制御手段２６、などが備えられている。
通信手段２２は、通信網２７を介して処理装置１０の通信手段１５と接続され、処理装置１０から受信した映像情報に基づいて情報表示手段２３に映像を表示させ、また音声発生手段２４から受信した音声情報に基づく音声を発生させるように構成されている。
【００３７】
次に、図１３のフローチャートに基いて、本発明の実施形態に係る商品情報表示システムの処理手順について説明する。
まず、商品陳列棚１に陳列されている商品２や商品サンプル５は、ＩＣタグリーダ８が送信する電波の受信可能な位置に展示され、個々のＩＣタグリーダ８が常時に個々の商品２や商品サンプル５に添付されている非接触ＩＣタグ３に記憶されている固有情報を読み取れる状態に設定されている。（ステップＳ１）
【００３８】
顧客が、商品陳列棚１に陳列されている商品２や商品サンプル５の中から興味をもったなどして所望の商品２や商品サンプル５を手に持って移動させることで、ＩＣタグリーダ８により、その商品２や商品サンプル５に添付されている非接触ＩＣタグ３との受信信号が断絶し、固有情報の読み取りができない状態となる。（ステップＳ２）
【００３９】
ＩＣタグリーダ８から処理装置１０に対して、読み取りができない状態となった固有情報を特定する信号が送られる。（ステップＳ３）
処理装置１０は、固有情報データベース２０に登録されている固有情報の中から読み取り不可となった固有情報を特定して読み取り不可情報の登録を行なう。（ステップＳ４）
更に、映像情報データベース２１に登録されている固有情報の中から、ＩＣタグリーダ８で読み取りができなくなった固有情報と関係付けられて登録されている映像情報をモニター装置７に送信する。（ステップＳ５）
そして、モニター装置７では、処理装置１０から受信した映像情報を情報表示手段２３に映し出すと共に、音声発生手段２４から音声の発生を行なわせる。（ステップＳ６）
以上の処理により、顧客は、手に取った商品２や商品サンプル５に関する様々な情報をモニター装置に映し出された映像から得ることができる。
【図面の簡単な説明】
【００４０】
【図１】本発明の実施形態に係る商品情報表示システムに用いる商品陳列棚の外観を示す斜視図である。
【図２】図１のＡ−Ａ線断面図である。
【図３】非接触ＩＣタグの例を示す平面図である。
【図４】商品に非接触ＩＣタグを添付した状態を示す断面図である。
【図５】本発明の実施形態に係る商品情報表示システムに用いる商品陳列棚において、ＩＣタグリーダが商品陳列部の底面側に設けられている状態を示す断面図である。
【図６】本発明の実施形態に係る商品情報表示システムに用いる商品陳列棚において、ＩＣタグリーダが商品陳列部の底面の下側に設けられている状態を示す断面図である。
【図７】本発明の実施形態に係る商品情報表示システムに用いる商品陳列棚において、ＩＣタグリーダが商品陳列部の背面側に設けられている状態を示す断面図である。
【図８】本発明の実施形態に係る商品情報表示システムのシステムブロック図である。
【図９】非接触ＩＣタグに記憶されている固有情報を示す図である。
【図１０】映像情報データベースに登録されている固有情報と映像情報の関係を示す図である。
【図１１】モニター装置に表示される映像情報を示す図である。
【図１２】モニター装置に表示される映像情報を示す図である。
【図１３】本発明の実施形態に係る商品情報表示システムの処理手順を示すフローチャートである。
【符号の説明】
【００４１】
１  商品陳列棚
２，２ａ，２ｂ，２ｃ  商品
３，３ａ，３ｂ，３ｃ  非接触ＩＣタグ
４，４ａ，４ｂ，４ｃ  商品陳列部
５，５ａ，５ｂ，５ｃ  商品サンプル
６，６ａ，６ｂ，６ｃ  サンプル展示部
７  モニター装置
８，８ａ，８ｂ，８ｃ  ＩＣタグリーダ
９，９ａ，９ｂ，９ｃ  棚
１０  処理装置
１１  送受信手段
１２，１６  記憶手段
１３，１５，２２  通信手段
１４，１９，２６  制御手段
１５，２７  通信網
１７  固有情報特定手段
１８  映像情報送信手段
２０  固有情報データベース
２１  映像情報データベース
２３  情報表示手段
２４  音声発生手段
２５  粘着剤
３１  基材
３２  ＩＣチップ
３３  コイルパターン
３３Ｃ  コイル接続端子
３４  導通部材
３５  ラベル紙
【図１】
2006201822.tif 000003
【図２】
2006201822.tif 000004
【図３】
2006201822.tif 000005
【図４】
2006201822.tif 000006
【図５】
2006201822.tif 000007
【図６】
2006201822.tif 000008
【図７】
2006201822.tif 000009
【図８】
2006201822.tif 000010
【図９】
2006201822.tif 000011
【図１０】
2006201822.tif 000012
【図１１】
2006201822.tif 000013
【図１２】
2006201822.tif 000014
【図１３】
2006201822.tif 000015